(57)【要約】【課題】一方側で閉じられた電気ランプであって、該電気ランプに、真空密に閉じられたバルブ１が設けられており、該バルブ１が、軸線方向軸線ＡＸを規定しており、かつ前記電気ランプが端部でシール３により閉じられており、コンタクトエレメントが前記端部に取り付けられており、前記コンタクトエレメントが、それぞれ発光手段に案内される給電部２に電気伝導性に接続されており、前記コンタクトエレメントがシール部分の管状の部分１５内に格納されている形式のものにおいて、簡単で確実に組み込まれる、良好にシールするコンタクトピンを有するものを提供する。【解決手段】コンタクトエレメント５が、外側へ突出しており、管状の部分の内部に、外側へ突出した少なくとも２つのセンタリング部分１０，１１が設けられており、該センタリング部分１０，１１が、管状の延長部６と接触しているようにした。【選択図】図２
0003115421.tif 000002
【実用新案登録請求の範囲】
【請求項１】
一方側で閉じられた電気ランプであって、該電気ランプに、真空密に閉じられたバルブ（１）が設けられており、該バルブ（１）が、軸線方向軸線（ＡＸ）を規定しており、かつ前記電気ランプが、端部でシール（３）により閉じられており、コンタクトエレメントが、前記端部に取り付けられており、前記コンタクトエレメントが、それぞれ発光手段へ案内される給電部（２）に電気伝導性に接続されており、前記コンタクトエレメントが、シール部分の管状の部分（１５）内に格納されている形式のものにおいて、コンタクトエレメント（５）が、外側へ突出しており、管状の部分の内部に、外側へ突出した少なくとも２つのセンタリング部分（１０，１１）が設けられており、該センタリング部分（１０，１１）が、管状の延長部（６）と接触していることを特徴とする、一方側で閉じられた電気ランプ。
【請求項２】
コンタクトピンが、スリットを設けられたスリーブより成っている、請求項１記載のランプ。
【請求項３】
コンタクトピンが、２つの区分より成っており、これらの区分のうちの第１の区分が、給電部を密に取り囲んでおり、外側へ突出しており、かつ第２の区分が、端部で折り曲げられて開かれており、シールの内部に格納されている、請求項２記載のランプ。
【請求項４】
ランプが、放電ランプ又は白熱ランプである、請求項１記載のランプ。
【請求項５】
スリーブが、１つの部材から製造されている、請求項２記載のランプ。
【請求項６】
逆鉤及び場合によってはコンタクトエレメントが、主に鋼により製造されている、請求項１記載のランプ。
【請求項７】
第１の区分が、クリンピング部により付加的に給電部に固定されている、請求項１記載のランプ。
【考案の詳細な説明】
【技術分野】
【０００１】
本考案は、一方側で閉じられた電気ランプであって、該電気ランプに、真空密に閉じられたバルブが設けられており、該バルブが軸線方向軸線を規定しており、かつ前記電気ランプが端部でシールにより閉じられており、コンタクトエレメントが前記端部に取り付けられており、前記コンタクトエレメントが、それぞれ発光手段に案内される給電部に電気伝導性に接続されており、前記コンタクトエレメントがシール部分の管状の部分内に格納されている形式のもの関する。この場合、特に金属ハロゲン化物ランプ、又はハロゲン白熱ランプである。
【背景技術】
【０００２】
ヨーロッパ特許庁特許第７８０８８３号明細書につき、２つの側で閉じられた電気ランプが既に公知である。この場合、２つのベース部分がコンタクトエレメントを有しており、これらのコンタクトエレメントは、シールをもたらすピンチシールの端部に設けられた管状の延長部に位置している。前記コンタクトエレメントはランプ軸線に対して横方向に延びており、スリーブの形の管状の延長部により取り囲まれている。固定は、コンタクトエレメントの周に沿って行われる。この場合に、コンタクトエレメントの傾斜が生じやすく、これにより、コンタクトエレメントがランプ軸線に対してもはや正確に横方向に位置しなくなること、さらに破損危険性が比較的高いことが欠点である。
【０００３】
ヨーロッパ特許庁特許公開第９２３１０９号明細書につき、一方側がピンチシールされたハロゲン白熱ランプが公知である。このハロゲン白熱ランプの場合には、コンタクトピンが円形スリーブの形で構成されている。
【特許文献１】ヨーロッパ特許庁特許第７８０８８３号明細書
【特許文献２】ヨーロッパ特許庁特許公開第９２３１０９号明細書
【考案の開示】
【考案が解決しようとする課題】
【０００４】
本考案の課題は、請求項１の上位概念部に記載の、一方側で閉じられたランプにおいて、簡単で確実に組み込まれる、良好にシールするコンタクトピンを有するものを提供することである。
【課題を解決するための手段】
【０００５】
この課題は、コンタクトエレメントが外側へ突出しており、管状の部分の内部に、外側へ突出した少なくとも２つのセンタリング部分が設けられており、該センタリング部分が、管状の延長部と接触していることにより解決される。特に有利な構成が従属請求項に記載されている。
【考案の効果】
【０００６】
本考案による一方側で閉じられたランプは真空密に閉鎖されたバルブを有している。このバルブは長手方向軸線を規定しており、端部でシール部分により閉鎖されおり、この場合に、ベースがシール部分の端部に取り付けられていてよいが、このことは不可欠ではない。一般にピンチシールの形で実施されたシールから突出した給電部にコンタクトピンが設けられており、これらのコンタクトピンは簡単な形式で給電部に結合されている。
【０００７】
基本的には上に述べたコンセプトは多種のランプ、特に放電ランプ又は白熱ランプのために適している。シールはピンチシール又は溶融シールであってよい。
【０００８】
特に有利な構成では、コンタクトピンは基本線又はバックボーンに沿って連続的にスリットを設けられたスリーブ又は部分的にスリットを設けられたスリーブであり、この場合に内側に位置する区分のみにスリットが設けられている。
【０００９】
有利にはこれらのスリーブは２つの区分に分割されており、これらの区分は種々異なった形で密に給電部に接触する。
【００１０】
特に前記スリーブは第１の区分と第２の区分とに分割されている。第１の区分は給電部をできるだけ密に取り囲んでおり、突出していない。それ故、第１の区分は特にランプホルダにおいてコンタクトするための特に良く適している。
【００１１】
これに対して、内側に位置する第２の区分は折り曲げて開かれており、これにより、シール部に良好に固定されている。
【００１２】
典型的な用途は、金属ハロゲン化物ランプ及びハロゲン白熱ランプである。
【考案を実施するための最良の形態】
【００１３】
次に本考案の実施の形態を複数の実施例につきさらに詳しく説明する。
【００１４】
図１は、一方側でピンチシールされたハロゲン白熱ランプの斜視図を示している。このハロゲン白熱ランプは円筒状のバルブ１よりなっており、このバルブ１内には発光体が配置されている（図示していない）。
【００１５】
この発光体は（又は電極も）、２つの給電部２（図３参照）により保持されており、これらの給電部２は、シール３を通過して貫通案内されている。前記給電部２は、シール３の前端部４で外側へ突出している。この領域及びシールの一部内では、給電部２はコンタクトピン５により被覆されている。このシールは、本来のシール部分１４と延長部１６とから成っており、この延長部１６は２つの管状の部分１５を有しており、これらの管状の部分１５内にはコンタクトピン５が格納されている。
【００１６】
このコンタクトピン５はスリットを設けられたスリーブであり、このスリーブは２つの区分に分割されている。第１の区分６は大部分が前端部から外側へ突出している。この第１の区分６は給電部２をプレス嵌めで密に取り囲んでいる。第２の区分７は共通の中央線又はバックボーン９を有しており、この共通の中央線又はバックボーン９は連続的にランプの長手方向軸線に沿って平行に延びている。しかしながら、前記スリットの両方の開かれた端部１０，１１は外側へ折り曲げられて開かれており、これにより、シール部内に良好に固定されている。
【００１７】
第２の区分７はシールの長さの約５０〜８０％を占めている。この区分７の内側の端部１２はカーブした形に切断されており、このことはシール特性をさらに改善する。
【００１８】
端部１０，１１の開かれたエッジが互いになす角度は、有利には７０°〜１２０°までの範囲である。
【００１９】
第１の区分６はクリンピング部８を介して、区分６内に格納された給電部２に付加的に結合されている。
【００２０】
バルブ、給電部及びコンタクトピンの材料は、熱膨張特性に関してできるだけ良好に互いに調整されていることが望ましい。基準としては、フォイルなしに直接にピンチシールされている硬質ガラスバルブにおいて使用される材料が用いられる。
【００２１】
このための典型的な例がヨーロッパ特許庁特許公開第９２３１０９号明細書に記載されている。給電部２としては、モリブデン、タングステン又はデュメット線（Ｆｅ／Ｎｉ）が適している。直径が著しくより大きいコンタクトピンとしては、特にオーステナイト系であるか、又はＣｒ及び／又はニッケルの添加剤を含有する特殊鋼が適している。ニッケル材料は、特殊鋼から成る核にめっきの形で被覆されていてもよい。
【００２２】
コンタクトピンの直径と給電部の直径との比率は、１よりも著しく大きく、例えば１．５〜６である。
【図面の簡単な説明】
【００２３】
【図１】ランプの斜視図である。
【図２】図１によるランプのためのコンタクトピンの斜視図である。
【図３】図１によるランプの長手方向断面図である。
【図４】図１によるランプのピンチシール部の横断面図である。
【符号の説明】
【００２４】
１  ピストン、  ２  給電部、  ３  シール、  ４  前端部、  ５  コンタクトピン、  ６，７  区分、  ８  クリンピング、  ９  バックボーン、  １０，１１，１２  端部、  １４  シール部分、  １５  部分、  １６  延長部
【図１】
0003115421.tif 000003
【図２】
0003115421.tif 000004
【図３】
0003115421.tif 000005
【図４】
0003115421.tif 000006